(57)【要約】【課題】軒樋の開口が幅狭なとき、内継手を容易に設置することができる軒樋の継手を提供する。【解決手段】軒樋３の家屋側の後板３２に添う後壁１４、軒樋３の屋外側の前板３１に添う前壁１１、軒樋３の底部にある底板３３に添う底壁１７、後板３２の先端に設けられる後板耳被係止部３２ａと係合し後壁１４の先端に設けられる後壁耳係止部１５、前板３１の先端に設けられる前板耳被係止部３１ａと係合し前壁１１の先端に設けられる前壁耳係止部１２を備える内継手１であり、後壁１４と底壁１７とは回動自在に動く屋内側ヒンジ部１７ｂで連結され、前壁１１と底壁１７とは回動自在に動く屋外側ヒンジ部１７ａで連結され、前壁１１と後壁１４を押圧する着脱自在な補強材２で構成される。【選択図】図１
2013127185.tif 000002
【特許請求の範囲】
【請求項１】
軒樋の家屋側の後板に添う後壁、軒樋の屋外側の前板に添う前壁、軒樋の底部にある底板に添う底壁、前記後板の先端に設けられる後板耳被係止部と係合し前記後壁の先端に設けられる後壁耳係止部、前記前板の先端に設けられる前板耳被係止部と係合し前記前壁の先端に設けられる前壁耳係止部を備える内継手であり、前記後壁と前記底壁とは回動自在に動く屋内側ヒンジ部で連結され、前記前壁と前記底壁とは回動自在に動く屋外側ヒンジ部で連結され、前記前壁と前記後壁を押圧する着脱自在な補強材を備えることを特徴とする軒樋の継手。
【請求項２】
前記補強材は前記前壁を押圧する前壁押圧部と、前記後壁を押圧する後壁押圧部と、前記前壁押圧部と前記後壁押圧部とを連接する連接部を備え、前記前壁押圧部には前記前壁押圧部と前記前壁とを係合する前壁押圧部係合部を有し、前記前壁にあり前記前壁押圧部係合部と係合する前壁押圧部被係合部を有し、前記後壁押圧部には前記後壁押圧部と前記後壁とを係合する後壁押圧部係合部を有し、前記後壁にあり前記後壁押圧部係合部と係合する後壁押圧部被係合部を有し、前記前壁押圧部には前壁凸部、前記後壁押圧部には後壁凸部が設けられ、前記前壁に設けられ前記前壁凸部と嵌合する前壁凹部を有し、前記後壁に設けられ前記後壁凸部と嵌合する後壁凹部を有することを特徴とする請求項１記載の軒樋の継手。
【発明の詳細な説明】
【技術分野】
【０００１】
本発明は、軒樋の内側に添うように軒樋を接続する軒樋の継手に関する。
【背景技術】
【０００２】
従来より、底壁部と底壁部の後端に立設される後壁部と、底壁部の前端に立設される前壁部と、着脱自在の補強バーを備える内継手が知られている（例えば特許文献１参照）。
【先行技術文献】
【特許文献】
【０００３】
【特許文献１】特開２００５−２７３３３５号公報
【発明の概要】
【発明が解決しようとする課題】
【０００４】
ところで、特許文献１記載の軒樋の継手は、前壁部と後壁部を押圧しながら、内継手を軒樋の開口に合わせる様にして、軒樋内部に内継手を設置していた。そのため、軒樋の開口が幅狭なとき、内継手を容易に設置することができなかった。
【０００５】
本発明は上記従来の問題点に鑑みて発明したものであって、その目的とするところは、軒樋の開口に合わせて変形可能な機構をもつ内継手を提供することを課題とするものである。
【課題を解決するための手段】
【０００６】
上記課題を解決するために、本発明は、以下のような構成とする。
【０００７】
軒樋の家屋側の後板に添う後壁、軒樋の屋外側の前板に添う前壁、軒樋の底部にある底板に添う底壁、前記後板の先端に設けられる後板耳被係止部と係合し前記後壁の先端に設けられる後壁耳係止部、前記前板の先端に設けられる前板耳被係止部と係合し前記前壁の先端に設けられる前壁耳係止部を備える内継手であり、前記後壁と前記底壁とは回動自在に動く屋内側ヒンジ部で連結され、前記前壁と前記底壁とは回動自在に動く屋外側ヒンジ部で連結され、前記前壁と前記後壁を押圧する着脱自在な補強材を備えることを特徴とする。
【０００８】
前記補強材は前記前壁を押圧する前壁押圧部と、前記後壁を押圧する後壁押圧部と、前記前壁押圧部と前記後壁押圧部とを連接する連接部を備え、前記前壁押圧部には前記前壁押圧部と前記前壁とを係合する前壁押圧部係合部を有し、前記前壁にあり前記前壁押圧部係合部と係合する前壁押圧部被係合部を有し、前記後壁押圧部には前記後壁押圧部と前記後壁とを係合する後壁押圧部係合部を有し、前記後壁にあり前記後壁押圧部係合部と係合する後壁押圧部被係合部を有し、前記前壁押圧部には前壁凸部、前記後壁押圧部には後壁凸部が設けられ、前記前壁に設けられ前記前壁凸部と嵌合する前壁凹部を有し、前記後壁に設けられ前記後壁凸部と嵌合する後壁凹部を有することが好ましい。
【発明の効果】
【０００９】
本発明の軒樋の継手は、開口が幅狭な軒樋に対しても、内継手を容易に設置することができる。
【図面の簡単な説明】
【００１０】
【図１】内継手の断面図である。
【図２】内継手を軒樋に取付ける際の断面図である。
【図３】内継手を軒樋に取付ける施工手順の図である。
【発明を実施するための形態】
【００１１】
以下、本発明を添付図面に示す実施形態に基いて説明する。
【００１２】
家屋には屋根から落ちてくる雨水を受けるための軒樋３が設けられている。軒樋３は家屋に取り付けられる際、１本の軒樋３で形成しているのではなく、数本の軒樋３により形成されている。したがって、軒樋３の端部と端部を繋ぐために、内継手１が使用される。内継手１は、軒樋３の内周囲に沿設して軒樋３同士を繋ぐものであり、係止部や接着剤を用いて繋いでいる。なお接着剤を用いることで、繋目の隙間から水が漏れることを防ぎ易くなる。
【００１３】
なお、本実施形態では、軒樋３と内継手１の両方とも上方に開口する略コ字状の断面となっているが、断面半円状であってもよく、軒樋３と内継手１双方の形状が同様になるのが好ましい。軒樋３や内継手１は、硬質塩化ビニル樹脂などを用いて成形されたものであるがこの材質に限定されない。
【００１４】
屋外側の方向を前方向、家屋側の方向を後方向とすると、軒樋３は、前方向に前板３１、後方向に後板３２、底部に底板３３を備えている。底板３３と前板３１とは屋根から落ちてくる雨水を受けるため、鈍角を成しており、また底板３３と後板３２とは略直角を成している。
【００１５】
本実施形態では、前板３１の先端（上端）には内継手１を係止するための前板耳被係止部３１ａを有し、後板３２の先端（上端）にも内継手１を係止するための後板耳被係止部３２ａを有している。前板耳被係止部３１ａは、前板３１の先端から軒樋３の内側方向へ突出する前板耳被係止部３１ａの上面と、前板耳被係止部３１ａの上面の先端（後端）から鈍角に下側へ向けて前板耳被係止部３１ａの屋内側側面が設けられ、前板耳被係止部３１ａの屋内側側面の先端（下端）から軒樋３の外側方向へ向けて前板耳被係止部３１ａの底面が設けられ、前板耳被係止部３１ａの底面の先端（前端）から鈍角に上方へ向けて前板耳被係止部３１ａの屋外側側面が設けられ、断面略台形状で形成されている。内継手１は、前板耳被係止部３１ａの屋外側側面と前板３１の隙間に内継手１が嵌入し、また前板耳被係止部３１ａを覆うようにして係止される。また後板耳被係止部３２ａは、後板３２の先端（上端）から軒樋３の内側方向へ向けて突出する後板耳被係止部３２ａの上面と、後板耳被係止部３２ａの上面の先端（前端）から略直角に下方へ向けて後板耳被係止部３２ａの屋外側側面が設けられ、後板耳被係止部３２ａの屋外側側面の先端（下端）から後板３２まで後板耳被係止部３２ａの下面が設けられており、断面略四角形状で形成されている。内継手１は後板耳被係止部３２ａの下面に嵌合するように係止される。
【００１６】
内継手１は、軒樋３の前板３１に添う前壁１１、軒樋３の後板３２に添う後壁１４、軒樋３の底板３３に添う底壁１７を備えている。前壁１１の先端には軒樋３を係止するための前壁耳係止部１２を有し、後壁１４の先端には軒樋３を係止するための後壁耳係止部１５を有している。前壁耳係止部１２は軒樋３の長手方向正面視略逆Ｃ字状をしており、前板耳被係止部３１ａを覆うようにして係止される。後壁耳係止部１５は、長手方向正面視Ｌ字状をしており、後板耳被係止部３２ａの下部に挿入するように係止される。
【００１７】
前板耳被係止部３１ａは前壁耳係止部１２に被嵌されるので、前板耳被係止部３１ａの上面と屋内側側面と下面と屋外側側面は、前板耳被係止部３１ａの内面へ向かう方向の力を前壁耳係止部１２から受ける。後板耳被係止部３２ａの下面には後壁耳係止部１５が嵌入し、後板耳被係止部３２ａの下面を上方に押圧している。上述したような嵌合により、内継手１は軒樋３の内部に固定されている。故に、内継手１を軒樋３に接着する際、接着剤が乾くまでの間、軒樋３に内継手１を固定しておくことができるため、接着がし易くなる。
【００１８】
また、前壁１１と底壁１７とは回動自在に動く屋外側ヒンジ部１７ａで連結され、後壁１４と底壁１７は回動自在に動く屋内側ヒンジ部１７ｂで連結されている。前壁１１と底壁１７、及び後壁１４と底壁１７が、回動自在に動くことにより、内継手１は変形させ易くなっている。そのため、軒樋３の開口が幅狭な時に、内継手１を軒樋３の内部に挿入させ易い形状にし、挿入することができる。なお、本実施形態では、ヒンジ部を形成しているが、前壁１１と底壁１７、及び後壁１４と底壁１７、それぞれの接合部を薄肉で形成したり、接合部に溝を形成したりして、前壁１１と底壁１７、及び後壁１４と底壁１７のそれぞれが回動自在となるようにしてもよい。
【００１９】
補強材２は、前壁１１を前側に押圧する前壁押圧部２１と、後壁１４を後側に押圧する後壁押圧部２２と、前壁押圧部２１と後壁押圧部２２とを連接する連接部２３とを備え、その形状は軒樋３の長手方向正面視略Ｈ状をしている。そして、内継手１の前壁１１と後壁１４を軒樋３の内側から外側へ向かう方向の力で内継手１を押圧し、内継手１が軒樋３から受ける軒樋３の内側に向かう力により、内継手１がたわみにくくなるように着脱自在に設けられている。
【００２０】
本実施形態の前壁１１には、補強材２の位置決めを行う前壁凹部１１ａを有し、同様に後壁１４には補強材２の位置決めを行う後壁凹部１４ａを有している。前壁凹部１１ａと後壁凹部１４ａの形状は、本実施形態では三角形の溝状となっているが、それだけに限定されず、嵌合の関係となる補強材２の形状に合っているのが好ましい。後壁凹部１４ａは後壁１４の上下方向略中央にあり、前壁凹部１１ａは後壁凹部１４ａと同じ高さにある。
【００２１】
前壁押圧部２１は前壁凹部１１ａと嵌合する前壁凸部２１ａを備え、前壁押圧部２１の下端は前壁押圧部係合部２１ｂとなっている。そして、後壁押圧部２２は後壁凹部１４ａと嵌合する後壁凸部２２ａを備え、後壁押圧部２２の下端は後壁押圧部係合部２２ｂとなっている。前壁凸部２１ａと後壁凸部２２ａは、内継手１内における補強材２の位置決めを行うために設けられている。
【００２２】
また補強材２を内継手１と固定するために、前壁押圧部係合部２１ｂと後壁押圧部係合部２２ｂとを係合する突出部が前壁１１と後壁１４に設けられる。前壁１１に設けられる突出部である前壁押圧部被係合部１３は、正面視逆Ｌ字状をしており、後壁１４に設けられる突出部である後壁押圧部被係合部１６は、正面視Ｌ字状をしている。前壁押圧部係合部２１ｂと前壁押圧部被係合部１３とが係合し、また後壁押圧部係合部２２ｂと後壁押圧部被係合部１６とが係合することにより、補強材２は内継手１に固定される。
【００２３】
軒樋３に内継手１と補強材２を設置する施工手順について示す。まず図３（ａ）に示すように、後板３２と後壁１４を係止するために、内継手１の前壁１１と底壁１７とを鈍角に、後壁１４と底壁１７とを鈍角に開き、後壁１４を軒樋３内に挿入する。そして図３（ｂ）に示すように、後板耳被係止部３２ａに後壁耳係止部１５を嵌入し係止させる。次に図３（ｃ）に示すように、後壁１４を後板３２に添わせ、と同時に底壁１７を底板３３に添わせる。そして図３（ｄ）に示すように、前壁１１を前板３１に添わせ、前板耳被係止部３１ａに前壁耳係止部１２を嵌入させる。最後に図３（ｅ）に示すように、補強材２を内継手１に挿入し、前壁凸部２１ａと前壁凹部１１ａとを合わせるとともに、後壁凸部２２ａと後壁凹部１４ａとを合わせるように挿入し、同時に前壁押圧部係合部２１ｂを前壁押圧部被係合部１３に嵌入し、後壁押圧部係合部２２ｂを後壁押圧部被係合部１６に嵌入し、嵌合させる。以上の手順で内継手１と補強材２を設置させる。
【００２４】
以上のように、本実施形態の軒樋３の継手は、回動自在に動く屋外側ヒンジ部１７ａと屋内側ヒンジ部１７ｂを備えることにより、軒樋３の開口が幅狭な時でも内継手１を容易に設置し易くなっており、また補強材２を備えることにより、軒樋３の外側へとかかる力により内継手１がたわみにくくなっている。
【符号の説明】
【００２５】
１    内継手
１１  前壁
１４  後壁
１７  底壁
１７ａ  屋外側ヒンジ部
１７ｂ  屋内側ヒンジ部
２    補強材
２１  前壁押圧部
２２  後壁押圧部
２３  連接部
３    軒樋
３１  前板
３２  後板
３３  底板
【図１】
2013127185.tif 000003
【図２】
2013127185.tif 000004
【図３】
2013127185.tif 000005